(57)【要約】【課題】個々の吐出部に応じた予備吐出の実行を実現する。【解決手段】記録材の第１面にインクを吐出する第１吐出部および第２吐出部が少なくとも設けられている複数の吐出部を有し、記録材に画像を形成する吐出手段と、第１吐出部と第２吐出部との個々の吐出部ごとに、印刷の前に吐出部がインクを吐出する予備吐出の実行を制御する制御手段と、を備えた、画像形成システム。【選択図】図４
2020131668.tif 000002
【特許請求の範囲】
【請求項１】
記録材の第１面にインクを吐出する第１吐出部および第２吐出部が少なくとも設けられている複数の吐出部を有し、当該記録材に画像を形成する吐出手段と、
前記第１吐出部と前記第２吐出部との個々の吐出部ごとに、印刷の前に吐出部がインクを吐出する予備吐出の実行を制御する制御手段と、
を備えた、画像形成システム。
【請求項２】
前記制御手段は、印刷に先立つ当該印刷の指示から、前記予備吐出の実行を制御することを特徴とする請求項１記載の画像形成システム。
【請求項３】
前記第１吐出部は、黒色インクを吐出し、
前記第２吐出部は、前記黒色インクとは異なる色インクを吐出し、
前記制御手段は、前記記録材の前記第１面について白黒印刷を施す旨の指示が前記指示に含まれる場合、前記第１吐出部に前記予備吐出を予め定められた回数実行させ、前記第２吐出部に当該予備吐出を当該予め定められた回数よりも少ない回数実行させ又は実行させないことを特徴とする請求項２記載の画像形成システム。
【請求項４】
前記複数の吐出部には、前記記録材の第２面に前記黒色インクを吐出する第３吐出部と、当該第２面に白黒印刷に用いられずカラー印刷に用いられる色の色インクを吐出する第４吐出部とが含まれ、
前記制御手段は、前記記録材の前記第２面についてカラー印刷を施す旨の指示が前記指示に含まれる場合、前記第３吐出部および前記第４吐出部に前記予備吐出を前記予め定められた回数実行させることを特徴とする請求項３記載の画像形成システム。
【請求項５】
前記第１吐出部は、第１色インクを吐出し、
前記第２吐出部は、第２色インクを吐出し、
前記制御手段は、前記記録材の前記第１面について前記第１色インクを用い前記第２色インクを用いないカラー印刷を施す旨の指示が前記指示に含まれる場合、前記第１吐出部に前記予備吐出を予め定められた回数実行させ、前記第２吐出部に当該予備吐出を当該予め定められた回数よりも少ない回数実行させ又は実行させないことを特徴とする請求項２記載の画像形成システム。
【請求項６】
前記吐出手段は、前記第１吐出部および前記第２吐出部を移動させることが可能であり、
前記制御手段は、前記第１吐出部と前記第２吐出部との個々の吐出部の位置に基づいて前記予備吐出の実行を制御することを特徴とする請求項１記載の画像形成システム。
【請求項７】
前記制御手段は、予め定められた位置に前記第１吐出部が位置し、当該予め定められた位置とは異なる位置に前記第２吐出部が位置する場合、当該第１吐出部に前記予備吐出を実行させず、当該第２吐出部に当該予備吐出を実行させることを特徴とする請求項６記載の画像形成システム。
【請求項８】
前記予め定められた位置は、前記第１吐出部と前記第２吐出部との個々の吐出部からインクが吐出した場合に当該インクが前記記録材に付着する当該吐出部の位置であることを特徴とする請求項７記載の画像形成システム。
【請求項９】
前記制御手段は、前記第１吐出部と前記第２吐出部との個々の吐出部の状態に基づいて前記予備吐出の実行を制御することを特徴とする請求項１記載の画像形成システム。
【請求項１０】
前記吐出手段は、印刷の指示を受けていない場合に、前記複数の吐出部を保管する保管位置に前記第１吐出部および前記第２吐出部を移動させることが可能であり、
前記制御手段は、前記第１吐出部が前記保管位置に位置していない時間が予め定められた時間に到達し、前記第２吐出部が当該保管位置に位置していない時間が当該予め定められた時間に到達していない場合、当該第１吐出部に前記予備吐出を予め定められた回数実行させ、当該第２吐出部に当該予備吐出を当該予め定められた回数よりも少ない回数実行させ又は実行させないことを特徴とする請求項９記載の画像形成システム。
【請求項１１】
前記制御手段は、直近の印刷に関する画像の形成により前記第１吐出部と前記第２吐出部との個々の吐出部から吐出されたインクの量に基づいて、前記予備吐出の実行を制御することを特徴とする請求項９記載の画像形成システム。
【請求項１２】
前記制御手段は、前記直近の印刷において、前記第１吐出部から吐出されたインクの量が予め定められた量に到達せず、前記第２吐出部から吐出されたインクの量が当該予め定められた量に到達した場合、当該第１吐出部に前記予備吐出を予め定められた回数実行させ、当該第２吐出部に当該予備吐出を当該予め定められた回数よりも少ない回数実行させ又は実行させないことを特徴とする請求項１１記載の画像形成システム。
【請求項１３】
前記制御手段は、前記第１吐出部と前記第２吐出部との個々の吐出部ごとに前記予備吐出の実行回数を制御することを特徴とする請求項１記載の画像形成システム。
【発明の詳細な説明】
【技術分野】
【０００１】
本発明は、画像形成システムに関する。
【背景技術】
【０００２】
特許文献１には、吐出検査クリーニングモードにおいて、吐出ヘッドの吐出検査を行った後、当該吐出検査によって吐出不良と判定された場合において、クリーニング処理を行うことが記載されている。
【先行技術文献】
【特許文献】
【０００３】
【特許文献１】特開２０１２−２２４０１３号公報
【発明の概要】
【発明が解決しようとする課題】
【０００４】
インクを吐出する吐出部を有する画像形成システムでは、印刷の前に吐出部がインクを吐出する予備吐出を行うことがある。
ここで、例えば、画像形成システムに複数の吐出部が設けられている場合にこの複数の吐出部を一括して予備吐出の実行を制御することがあるが、この場合、個々の吐出部に応じて予備吐出を実行することができなかった。
本発明は、個々の吐出部に応じた予備吐出の実行を実現することを目的とする。
【課題を解決するための手段】
【０００５】
請求項１に記載の発明は、記録材の第１面にインクを吐出する第１吐出部および第２吐出部が少なくとも設けられている複数の吐出部を有し、当該記録材に画像を形成する吐出手段と、前記第１吐出部と前記第２吐出部との個々の吐出部ごとに、印刷の前に吐出部がインクを吐出する予備吐出の実行を制御する制御手段と、を備えた、画像形成システムである。
請求項２に記載の発明は、前記制御手段は、印刷に先立つ当該印刷の指示から、前記予備吐出の実行を制御することを特徴とする請求項１記載の画像形成システムである。
請求項３に記載の発明は、前記第１吐出部は、黒色インクを吐出し、前記第２吐出部は、前記黒色インクとは異なる色インクを吐出し、前記制御手段は、前記記録材の前記第１面について白黒印刷を施す旨の指示が前記指示に含まれる場合、前記第１吐出部に前記予備吐出を予め定められた回数実行させ、前記第２吐出部に当該予備吐出を当該予め定められた回数よりも少ない回数実行させ又は実行させないことを特徴とする請求項２記載の画像形成システムである。
請求項４に記載の発明は、前記複数の吐出部には、前記記録材の第２面に前記黒色インクを吐出する第３吐出部と、当該第２面に白黒印刷に用いられずカラー印刷に用いられる色の色インクを吐出する第４吐出部とが含まれ、前記制御手段は、前記記録材の前記第２面についてカラー印刷を施す旨の指示が前記指示に含まれる場合、前記第３吐出部および前記第４吐出部に前記予備吐出を前記予め定められた回数実行させることを特徴とする請求項３記載の画像形成システムである。
請求項５に記載の発明は、前記第１吐出部は、第１色インクを吐出し、前記第２吐出部は、第２色インクを吐出し、前記制御手段は、前記記録材の前記第１面について前記第１色インクを用い前記第２色インクを用いないカラー印刷を施す旨の指示が前記指示に含まれる場合、前記第１吐出部に前記予備吐出を予め定められた回数実行させ、前記第２吐出部に当該予備吐出を当該予め定められた回数よりも少ない回数実行させ又は実行させないことを特徴とする請求項２記載の画像形成システムである。
請求項６に記載の発明は、前記吐出手段は、前記第１吐出部および前記第２吐出部を移動させることが可能であり、前記制御手段は、前記第１吐出部と前記第２吐出部との個々の吐出部の位置に基づいて前記予備吐出の実行を制御することを特徴とする請求項１記載の画像形成システムである。
請求項７に記載の発明は、前記制御手段は、予め定められた位置に前記第１吐出部が位置し、当該予め定められた位置とは異なる位置に前記第２吐出部が位置する場合、当該第１吐出部に前記予備吐出を実行させず、当該第２吐出部に当該予備吐出を実行させることを特徴とする請求項６記載の画像形成システムである。
請求項８に記載の発明は、前記予め定められた位置は、前記第１吐出部と前記第２吐出部との個々の吐出部からインクが吐出した場合に当該インクが前記記録材に付着する当該吐出部の位置であることを特徴とする請求項７記載の画像形成システムである。
請求項９に記載の発明は、前記制御手段は、前記第１吐出部と前記第２吐出部との個々の吐出部の状態に基づいて前記予備吐出の実行を制御することを特徴とする請求項１記載の画像形成システムである。
請求項１０に記載の発明は、前記吐出手段は、印刷の指示を受けていない場合に、前記複数の吐出部を保管する保管位置に前記第１吐出部および前記第２吐出部を移動させることが可能であり、前記制御手段は、前記第１吐出部が前記保管位置に位置していない時間が予め定められた時間に到達し、前記第２吐出部が当該保管位置に位置していない時間が当該予め定められた時間に到達していない場合、当該第１吐出部に前記予備吐出を予め定められた回数実行させ、当該第２吐出部に当該予備吐出を当該予め定められた回数よりも少ない回数実行させ又は実行させないことを特徴とする請求項９記載の画像形成システムである。
請求項１１に記載の発明は、前記制御手段は、直近の印刷に関する画像の形成により前記第１吐出部と前記第２吐出部との個々の吐出部から吐出されたインクの量に基づいて、前記予備吐出の実行を制御することを特徴とする請求項９記載の画像形成システムである。
請求項１２に記載の発明は、前記制御手段は、前記直近の印刷において、前記第１吐出部から吐出されたインクの量が予め定められた量に到達せず、前記第２吐出部から吐出されたインクの量が当該予め定められた量に到達した場合、当該第１吐出部に前記予備吐出を予め定められた回数実行させ、当該第２吐出部に当該予備吐出を当該予め定められた回数よりも少ない回数実行させ又は実行させないことを特徴とする請求項１１記載の画像形成システムである。
請求項１３に記載の発明は、前記制御手段は、前記第１吐出部と前記第２吐出部との個々の吐出部ごとに前記予備吐出の実行回数を制御することを特徴とする請求項１記載の画像形成システムである。
【発明の効果】
【０００６】
請求項１の発明によれば、個々の吐出部に応じた予備吐出の実行を実現することができる。
請求項２の発明によれば、印刷の指示の内容に応じて、制御手段に予備吐出の実行を制御させることができる。
請求項３の発明によれば、印刷の指示の内容に関わらず第１吐出部および第２吐出部が予備吐出を予め定められた回数実行する場合に比べて、印刷に用いられない第２吐出部から予備吐出により吐出されるインクの量を減少させることができる。
請求項４の発明によれば、記録材の第１面と第２面とで印刷に用いられるインクの色が異なる場合であっても、印刷に用いられるインクの色に応じて、制御手段に予備吐出の実行を制御させることができる。
請求項５の発明によれば、カラー印刷が行われる場合において全ての吐出部に予備吐出を予め定められた回数実行させる場合に比べて、カラー印刷に用いられない第２吐出部から予備吐出により吐出されるインクの量を減少させることができる。
請求項６の発明によれば、個々の吐出部の位置に応じて、制御手段に予備吐出の実行を制御させることができる。
請求項７の発明によれば、第１吐出部および第２吐出部に予備吐出を実行させない位置を設定することができる。
請求項８の発明によれば、第１吐出部の位置および第２吐出部の位置に関わらず第１吐出部および第２吐出部が予備吐出を実行する場合に比べて、第１吐出部および第２吐出部が予備吐出を実行することにより吐出するインクが記録材に付着することを抑制できる。
請求項９の発明によれば、個々の吐出部の状態に応じて、制御手段に予備吐出の実行を制御させることができる。
請求項１０の発明によれば、第１吐出部の位置および第２吐出部の位置に関わらず第１吐出部および第２吐出部が予備吐出を予め定められた回数実行する場合に比べて、保管位置に位置していない時間が予め定められた時間に到達していない第２吐出部から予備吐出により吐出されるインクの量を減少させることができる。
請求項１１の発明によれば、直近の印刷に関する画像の形成により個々の吐出部から吐出されたインクの量に応じて、制御手段に予備吐出の実行を制御させることができる。
請求項１２の発明によれば、第１吐出部から吐出されるインクの量および第２吐出部から吐出されるインクの量に関わらず第１吐出部および第２吐出部に予備吐出を予め定められた回数実行させる場合に比べて、直近の印刷において予め定められた量のインクが吐出されていない第２吐出部から予備吐出により吐出されるインクの量を減少させることができる。
請求項１３の発明によれば、第１吐出部と第２吐出部の個々の吐出部における予備吐出の必要性に応じて、制御手段に予備吐出の実行回数を制御させることができる。
【図面の簡単な説明】
【０００７】
【図１】本実施形態による画像形成システムの全体構成例を示す図である。
【図２】画像形成装置の構成を示す図である。
【図３】サーバ装置の機能構成例を示したブロック図である。
【図４】予備吐出制御処理の流れを示したフローチャートである。
【図５】変形例１における予備吐出制御処理の流れを示したフローチャートである。
【図６】変形例２における予備吐出制御処理の流れを示したフローチャートである。
【図７】変形例３における予備吐出制御処理の流れを示したフローチャートである。
【発明を実施するための形態】
【０００８】
以下、添付図面を参照して、本発明の実施形態について詳細に説明する。
＜画像形成システムの構成＞
図１は、本実施形態による画像形成システム１の全体構成例を示す図である。本実施形態の画像形成システム１は、サーバ装置１０と、画像形成装置２０と、端末装置３０とを備える。サーバ装置１０と、画像形成装置２０および端末装置３０とは、ネットワークを介して接続されている。
【０００９】
サーバ装置１０は、ネットワークを介して、画像形成装置２０および端末装置３０との間でデータを送受信するサーバである。サーバ装置１０は、例えば、コンピュータにより実現される。サーバ装置１０は、単一のコンピュータにより構成しても良いし、複数のコンピュータによる分散処理により実現しても良い。
【００１０】
本実施形態の画像形成装置２０は、各ページが用紙搬送方向に対して連続して形成される連続用紙Ｐに対してインクを吐出して画像を形成するインクジェットプリンタである。連続用紙Ｐとしては、例えば、ロール紙や連続帳票等が挙げられる。また、連続用紙Ｐは、記録材の一例である。
【００１１】
端末装置３０は、ユーザが印刷の指示を行う際に操作するコンピュータ装置である。端末装置３０は、ネットワークを介して、サーバ装置１０に印刷等の指示を行う。端末装置３０は、例えば、コンピュータ、タブレット型情報端末、その他の情報処理装置により実現される。
【００１２】
＜画像形成装置の構成＞
図２は、画像形成装置２０の構成を示す図である。
画像形成装置２０は、第１画像形成部２０１と、第２画像形成部２０４と、供給部２０７と、巻取部２０８と、バッファ装置２０９と、制御部２１０とを有する。
【００１３】
第１画像形成部２０１は、連続用紙Ｐの表面に画像を形成する。第１画像形成部２０１は、イエロー（Ｙ）、マゼンタ（Ｍ）、シアン（Ｃ）、黒（Ｋ）の４色のインクにそれぞれ対応するイエロー（Ｙ）の第１インクジェットヘッド２０３Ｙ、マゼンタ（Ｍ）の第１インクジェットヘッド２０３Ｍ、シアン（Ｃ）の第１インクジェットヘッド２０３Ｃ、および黒（Ｋ）の第１インクジェットヘッド２０３Ｋの４つの第１インクジェットヘッドを備える。また、第１画像形成部２０１は、第１インクジェットヘッドを駆動する第１駆動部２０２を備える。ここで、連続用紙Ｐの表面は、記録材の第１面として捉えられる。
なお、以下の説明において、各第１インクジェットヘッドを区別しないで説明する場合には、第１インクジェットヘッド２０３と称する。また、イエロー（Ｙ）の第１インクジェットヘッド２０３Ｙ、マゼンタ（Ｍ）の第１インクジェットヘッド２０３Ｍ、およびシアン（Ｃ）の第１インクジェットヘッド２０３Ｃをまとめて説明する場合には、カラーの第１インクジェットヘッド２０３と称する。
【００１４】
第２画像形成部２０４は、連続用紙Ｐの裏面に画像を形成する。第２画像形成部２０４は、イエロー（Ｙ）、マゼンタ（Ｍ）、シアン（Ｃ）、黒（Ｋ）の４色のインクにそれぞれ対応するイエロー（Ｙ）の第２インクジェットヘッド２０６Ｙ、マゼンタ（Ｍ）の第２インクジェットヘッド２０６Ｍ、シアン（Ｃ）の第２インクジェットヘッド２０６Ｃ、および黒（Ｋ）の第２インクジェットヘッド２０６Ｋの４つの第２インクジェットヘッドを備える。また、第２画像形成部２０４は、第２インクジェットヘッドを駆動する第２駆動部２０５を備える。ここで、連続用紙Ｐの裏面は、記録材の第２面として捉えられる。
【００１５】
なお、以下の説明において、各第２インクジェットヘッドを区別しないで説明する場合には、第２インクジェットヘッド２０６と称する。また、イエロー（Ｙ）の第２インクジェットヘッド２０６Ｙ、マゼンタ（Ｍ）の第２インクジェットヘッド２０６Ｍ、およびシアン（Ｃ）の第２インクジェットヘッド２０６Ｃをまとめて説明する場合には、カラーの第２インクジェットヘッド２０６と称する。また、第１インクジェットヘッド２０３と第２インクジェットヘッド２０６とを区別しないで説明する場合には、単にインクジェットヘッドと称する。また、カラーの第１インクジェットヘッド２０３とカラーの第２インクジェットヘッド２０６とを区別しないで説明する場合には、単にカラーのインクジェットヘッドと称する。さらに、第１駆動部２０２と第２駆動部２０５とを区別しないで説明する場合には、単に駆動部と称する。
【００１６】
吐出部の一例としてのインクジェットヘッドは、インクの液滴を、サーマル方式や圧電方式等の公知の手段により吐出することで、連続用紙Ｐに対して画像を形成する。インクジェットヘッドは、連続用紙Ｐに対して画像が形成される領域以上の幅に対応する長さを有する。また、インクジェットヘッドには、連続用紙Ｐに対して画像が形成される領域の全幅にわたってインク吐出用のノズルが設けられている。
【００１７】
駆動部は、インクジェットヘッドを、少なくとも、印刷位置と、保管位置と、メンテナンス位置とに移動させられる。
印刷位置とは、インクジェットヘッドからインクが吐出した場合にこのインクが連続用紙Ｐに付着するインクジェットヘッドの位置である。
保管位置とは、画像形成システム１が印刷の指示を受けていない場合にインクジェットヘッドが保管される位置である。保管位置に位置しているインクジェットヘッドは、水が入っているキャップを被せられ、インクジェットヘッドのノズルが乾くことの抑制が図られている。
メンテナンス位置とは、ユーザの手が届く範囲のインクジェットヘッドの位置である。インクジェットヘッドがメンテナンス位置に位置した状態において、ユーザは、インクジェットヘッドのメンテナンス等を行う。
なお、第１画像形成部２０１および第２画像形成部２０４は、連続用紙Ｐに画像を形成する吐出手段として捉えられる。
【００１８】
供給部２０７は、連続用紙Ｐを収容する。また、供給部２０７は、用紙搬送方向の下流側へ連続用紙Ｐを供給する。
巻取部２０８は、第１画像形成部２０１や第２画像形成部２０４によって画像が形成された連続用紙Ｐを巻き取る。
バッファ装置２０９は、連続用紙Ｐの表面と裏面とを反転させる反転機構を有する。
【００１９】
制御部２１０は、サーバ装置１０から印刷の指示を受けると、この印刷の指示に基づいて第１画像形成部２０１や第２画像形成部２０４の動作を制御する。また、制御部２１０は、インクジェットヘッドの位置を管理する。そして、このインクジェットヘッドの位置に関する位置情報を、サーバ装置１０に送信する。この位置情報には、画像形成装置２０に設けられている個々のインクジェットヘッドが、印刷位置、保管位置、メンテナンス位置、およびその他の位置のうちの何れに位置しているかを示す情報が含まれる。
【００２０】
＜予備吐出＞
ここで、インクジェットヘッドが行う予備吐出について説明する。
インクジェットヘッドのノズルは、インクの吐出後に、インクが残存した状態となる。そのため、低温環境下や長期間インクの吐出を行わない場合には、ノズルがインクを吐出する動作を再開する際に、残存インクに起因して、インクの吐出が不安定になることやノズルからインクが吐出されないこと等、インクの吐出不良が生じることがある。
【００２１】
このようなインクの吐出不良を抑制するために、インクジェットヘッドは、予備吐出を行うことがある。予備吐出とは、印刷の前にインクジェットヘッドのノズルがインクを吐出することである。予備吐出としては、例えば、ダミージェットやウォームアップ等が挙げられる。ダミージェットとは、インクジェットヘッドが、印刷の前に、連続用紙Ｐに画像を形成する以外の目的でインクを吐出することである。また、ウォームアップとは、インクジェットヘッドが印刷の準備として連続用紙Ｐに対してインクを吐出することである。
インクジェットヘッドは、予備吐出を行い新鮮なインクをノズル内に供給することで、気泡や塵埃あるいは溶媒の蒸発で増粘して画像形成に適さなくなったインク等の吐出不良を引き起こす原因を除去し、画像形成に適した状態を維持する。
【００２２】
＜サーバ装置の機能構成＞
次に、サーバ装置１０の機能構成について説明する。図３は、サーバ装置１０の機能構成例を示したブロック図である。
サーバ装置１０は、指示受付部１１と、ヘッド情報取得部１２と、算出部１３と、設定情報取得部１４と、ヘッド制御部１５とを備える。
【００２３】
指示受付部１１は、印刷の指示を受け付ける。指示受付部１１は、例えば、端末装置３０がユーザに操作されることにより行われた印刷の指示を受け付ける。また、このとき、指示受付部１１は、端末装置３０から、印刷の指示に関する指示情報を取得する。この指示情報には、指示受付部１１が受け付けた印刷の印刷設定を示す情報が含まれる。印刷設定としては、例えば、片面印刷および両面印刷の何れかの設定、白黒印刷およびカラー印刷の何れかの設定、および、何れの色の画像を連続用紙Ｐの何れの位置に形成するかの設定等が挙げられる。指示受付部１１は、取得した指示情報を、算出部１３およびヘッド制御部１５へ送信する。
【００２４】
ヘッド情報取得部１２は、例えば１秒ごとに、画像形成装置２０の制御部２１０から上述した位置情報を取得する。そして、制御部２１０から取得したこの位置情報を、ヘッド制御部１５に送信する。
【００２５】
算出部１３は、画像形成装置２０に設けられている個々のインクジェットヘッドから吐出されるインクの量を算出する。具体的には、算出部１３は、指示受付部１１から指示情報を取得すると、この指示情報に含まれる印刷設定、および指示情報に係る印刷の対象となる画像データに基づいて、個々のインクジェットヘッドごとに印刷により吐出されるインクの量を算出する。算出部１３は、個々のインクジェットヘッドごとに算出したインクの量を示すインク量情報を、ヘッド制御部１５へ送信する。
【００２６】
設定情報取得部１４は、印刷設定に関する情報を取得する。設定情報取得部１４は、例えば、端末装置３０がユーザに操作されることにより行われた印刷設定に関する情報を取得する。この印刷設定は、印刷の指示とともに行われる印刷設定とは別に行われる設定である。設定情報取得部１４は、取得した印刷設定に関する情報を、ヘッド制御部１５へ送信する。
ヘッド制御部１５は、指示受付部１１、ヘッド情報取得部１２、算出部１３、および設定情報取得部１４から取得した情報に基づいて、インクジェットヘッドによる予備吐出の実行を制御する。
【００２７】
＜予備吐出制御処理＞
次に、予備吐出制御処理について説明する。ここで、予備吐出制御処理とは、ヘッド制御部１５が、インクジェットヘッドの予備吐出の実行を制御する処理である。予備吐出制御処理は、ヘッド制御部１５が、インクジェットヘッドによる予備吐出の実行を画像形成装置２０の制御部２１０に指示することにより実現する。
図４は、予備吐出制御処理の流れを示したフローチャートである。
【００２８】
まず、ヘッド制御部１５は、印刷の指示が行われたか否かを判定する（Ｓ１０１）。具体的には、ヘッド制御部１５は、指示受付部１１から指示情報を取得したか否かにより、印刷の指示が行われたか否かを判定する。否定結果が継続している間、ヘッド制御部１５は、ステップ１０１の判定動作を繰り返す。
【００２９】
一方、ヘッド制御部１５が指示情報を取得した場合、肯定結果を得てステップ１０２へ進む。
ヘッド制御部１５は、指示情報に含まれる印刷設定に関する情報を参照する。そして、指示のあった印刷が、カラー印刷であるか否かを判定する（Ｓ１０２）。
指示のあった印刷がカラー印刷である場合（Ｓ１０２にてＹＥＳ）、ヘッド制御部１５は、指示のあった印刷が、両面印刷であるか否かを判定する（Ｓ１０３）。
【００３０】
指示のあった印刷が両面印刷である場合（Ｓ１０３にてＹＥＳ）、ヘッド制御部１５は、指示のあった印刷に先立って、全ての第１インクジェットヘッド２０３および全ての第２インクジェットヘッド２０６に予備吐出を実行させる（Ｓ１０４）。
一方、指示のあった印刷が両面印刷でない場合（Ｓ１０３にてＮＯ）、ヘッド制御部１５は、指示のあった印刷が片面印刷であると判定する。この場合、ヘッド制御部１５は、印刷に先立って、全ての第１インクジェットヘッド２０３に予備吐出を実行させる（Ｓ１０５）。一方、ヘッド制御部１５は、全ての第２インクジェットヘッド２０６に予備吐出を実行させない。
【００３１】
また、ステップ１０２にて否定結果が得られた場合、ヘッド制御部１５は、指示のあった印刷が白黒印刷であると判定する。この場合、ヘッド制御部１５は、指示のあった印刷が両面印刷であるか否かを判定する（Ｓ１０６）。
指示のあった印刷が両面印刷である場合（Ｓ１０６にてＹＥＳ）、ヘッド制御部１５は、指示のあった印刷に先立って、黒の第１インクジェットヘッド２０３Ｋおよび黒の第２インクジェットヘッド２０６Ｋに予備吐出を実行させる（Ｓ１０７）。その一方で、ヘッド制御部１５は、カラーの第１インクジェットヘッド２０３およびカラーの第２インクジェットヘッド２０６に予備吐出を実行させない。
また、指示のあった印刷が両面印刷でない場合（Ｓ１０６にてＮＯ）、ヘッド制御部１５は、指示のあった印刷が片面印刷であると判定する。この場合、ヘッド制御部１５は、指示のあった印刷に先立って、黒の第１インクジェットヘッド２０３Ｋに予備吐出を実行させる（Ｓ１０８）。一方、ヘッド制御部１５は、カラーの第１インクジェットヘッド２０３および全ての第２インクジェットヘッド２０６に予備吐出を実行させない。
【００３２】
以上のように、本実施形態では、ヘッド制御部１５は、画像形成装置２０に設けられている個々のインクジェットヘッドごとに、予備吐出の実行を制御する。
特に、本実施形態では、ヘッド制御部１５は、印刷に先立つ印刷の指示から、予備吐出の実行を制御する。より具体的には、印刷に用いられるインクジェットヘッドには予備吐出を実行させる一方で、印刷に用いられないインクジェットヘッドには予備吐出を実行させない。
【００３３】
上述の通り、予備吐出は、画像形成に適した状態を維持するために行われる。そのため、印刷に用いられないインクジェットヘッドにおいては、印刷に用いられるインクジェットヘッドよりも予備吐出の必要性が低い。そこで、本実施形態では、インクジェットヘッドが印刷に用いられるか否かを、予備吐出の実行条件としている。
【００３４】
なお、図４に示す例では、印刷に用いられないインクジェットヘッドには予備吐出を実行させないようにしているが、これに限定されない。ヘッド制御部１５は、印刷に用いられないインクジェットヘッドには、印刷に用いられるインクジェットヘッドよりも、少ない回数の予備吐出を実行させてもよい。この回数とは、例えば、ダミージェットにおいてインクジェットヘッドがインクを吐出する回数である。また、この回数は、ウォームアップにおいてインクジェットヘッドが予め定められた第１ページ枚数の連続用紙Ｐに画像を形成することを１回と計数する場合の回数であってもよい。第１ページ枚数は、例えば、１枚である。
【００３５】
例えば、ヘッド制御部１５は、連続用紙Ｐの表面について白黒印刷を施す旨の指示が印刷の指示に含まれる場合、黒の第１インクジェットヘッド２０３Ｋに予備吐出を予め定められた回数実行させ、イエローの第１インクジェットヘッド２０３Ｙに予備吐出を予め定められた回数よりも少ない回数実行させ又は実行させないようにしてもよい。さらに、ヘッド制御部１５は、連続用紙Ｐの裏面についてカラー印刷を施す旨の指示が印刷の指示に含まれる場合、黒の第２インクジェットヘッド２０６Ｋおよびイエローの第２インクジェットヘッド２０６Ｙに予備吐出を予め定められた回数実行させてもよい。ここで、黒の第１インクジェットヘッド２０３Ｋは、黒色インクを吐出する第１吐出部として捉えられる。また、イエローの第１インクジェットヘッド２０３Ｙは、黒色インクとは異なる色インクを吐出する第２吐出部として捉えられる。また、黒の第２インクジェットヘッド２０６Ｋは、連続用紙Ｐの裏面に黒色インクを吐出する第３吐出部として捉えられる。また、イエローの第２インクジェットヘッド２０６Ｙは、連続用紙Ｐの裏面に白黒印刷に用いられずカラー印刷に用いられる色の色インクを吐出する第４吐出部として捉えられる。また、予め定められた回数は、例えば２回である。
【００３６】
また、図４に示す例では、カラー印刷が行われる場合には、印刷に何れの色のインクジェットヘッドが用いられるかに関わらず、連続用紙Ｐのうち画像が形成される面に対応する全てのインクジェットヘッドに予備吐出を実行させるようにしたが、これに限定されない。ヘッド制御部１５は、カラー印刷が行われる場合であっても、このカラー印刷に用いられないインクジェットヘッドの予備吐出を実行させないようにしてもよい。
【００３７】
例えば、ヘッド制御部１５は、連続用紙Ｐの表面についてイエローのインクを用いマゼンタのインクを用いないカラー印刷を施す旨の指示が印刷の指示に含まれる場合、イエローの第１インクジェットヘッド２０３Ｙに予備吐出を予め定められた回数実行させ、マゼンタの第１インクジェットヘッド２０３Ｍに予備吐出を予め定められた回数よりも少ない回数実行させ又は実行させないようにしてもよい。ここで、イエローの第１インクジェットヘッド２０３Ｙは、第１色インクを吐出する第１吐出部として捉えられる。また、マゼンタの第１インクジェットヘッド２０３Ｍは、第２色インクを吐出する第２吐出部として捉えられる。
【００３８】
＜予備吐出制御処理の変形例１＞
次に、予備吐出制御処理の変形例１について説明する。
ヘッド制御部１５は、指示受付部１１から指示情報を取得すると、ヘッド情報取得部１２に対して、最新の位置情報をヘッド制御部１５に送信することを指示する。そして、ヘッド情報取得部１２から位置情報を取得すると、この位置情報に基づいて、個々のインクジェットヘッドごとに予備吐出の実行を制御する。
【００３９】
図５は、変形例１における予備吐出制御処理の流れを示したフローチャートである。
まず、ヘッド制御部１５は、印刷の指示が行われたか否かを判定する（Ｓ２０１）。否定結果が継続している間、ヘッド制御部１５は、ステップ２０１の判定動作を繰り返す。
【００４０】
ステップ２０１にて肯定結果が得られた場合、ヘッド制御部１５は、画像形成装置２０に設けられている個々のインクジェットヘッドが保管位置に位置しているか否かを判定する（Ｓ２０２）。具体的には、ヘッド制御部１５は、ヘッド情報取得部１２に対して最新の位置情報のヘッド制御部１５への送信を指示し、ヘッド情報取得部１２から位置情報を取得する。そして、取得した位置情報から、個々のインクジェットヘッドが保管位置に位置しているか否かを判定する。
【００４１】
画像形成装置２０に設けられている全てのインクジェットヘッドのうちの少なくとも一つが保管位置に位置している場合（ステップ２０２にてＹＥＳ）、ヘッド制御部１５は、保管位置に位置しているインクジェットヘッドに予備吐出を実行させる（Ｓ２０３）。具体的には、ヘッド制御部１５は、全てのインクジェットヘッドのうちの保管位置に位置しているインクジェットヘッドの各々に対して、キャップを外させてから予備吐出を実行させる。一方、保管位置に位置していないインクジェットヘッドには予備吐出を実行させない。
また、何れのインクジェットヘッドも保管位置に位置していない場合（ステップ２０２にてＮＯ）、ヘッド制御部１５は、何れのインクジェットヘッドにも予備吐出を実行させない。
【００４２】
このように、変形例１では、ヘッド制御部１５は、個々のインクジェットヘッドの位置に基づいて予備吐出の実行を制御する。
特に、変形例１では、ヘッド制御部１５は、予め定められた位置に一のインクジェットヘッドが位置し、予め定められた位置とは異なる位置に他の一のインクジェットヘッドが位置する場合、一のインクジェットヘッドに予備吐出を実行させず、他の一のインクジェットヘッドに予備吐出を実行させる。ここで、一のインクジェットヘッドは、第１吐出部として捉えられる。また、他の一のインクジェットヘッドは、第２吐出部として捉えられる。
さらに、予め定められた位置は、印刷位置である。
【００４３】
＜予備吐出制御処理の変形例２＞
次に、予備吐出制御処理の変形例２について説明する。
ヘッド情報取得部１２は、画像形成装置２０の制御部２１０から継続的に送信される位置情報に基づいて、画像形成装置２０に設けられている個々のインクジェットヘッドごとに、インクジェットヘッドが保管位置に位置していない時間を算出する。そして、個々のインクジェットヘッドごとの保管位置に位置していない時間を示す時間情報を、ヘッド制御部１５に送信する。
【００４４】
設定情報取得部１４は、端末装置３０から、ウォームアップにより画像が形成される連続用紙Ｐのページ枚数を示すページ枚数情報を取得する。具体的には、設定情報取得部１４は、端末装置３０がユーザに操作されウォームアップにより画像が形成される連続用紙Ｐのページ枚数が設定されることにより、この端末装置３０からページ枚数情報を取得する。そして、取得したページ枚数情報をヘッド制御部１５へ送信する。
【００４５】
ヘッド制御部１５は、指示受付部１１から指示情報を取得すると、ヘッド情報取得部１２に対して、最新の時間情報をヘッド制御部１５に送信することを指示する。また、算出部１３に対して、直近の印刷に係るインク量情報をヘッド制御部１５に送信することを指示する。ここで、直近の印刷とは、最後にあった印刷の指示により行われた印刷である。さらに、設定情報取得部１４に対して、直近の印刷が行われたときの印刷設定に係るページ枚数情報を送信することを指示する。そして、ヘッド制御部１５は、時間情報、インク量情報およびページ枚数情報を取得すると、取得したこれらの情報に基づいて、個々のインクジェットヘッドごとに予備吐出の実行を制御する。
【００４６】
図６は、変形例２における予備吐出制御処理の流れを示したフローチャートである。
まず、ヘッド制御部１５は、印刷の指示が行われたか否かを判定する（Ｓ３０１）。否定結果が継続している間、ヘッド制御部１５は、ステップ３０１の判定動作を繰り返す。
【００４７】
ステップ３０１にて肯定結果が得られた場合、ヘッド制御部１５は、直近の印刷に係るウォームアップにより画像が形成された連続用紙Ｐのページ枚数が、予め定められた第２ページ枚数以下であるか否かを判定する（Ｓ３０２）。具体的には、ヘッド制御部１５は、設定情報取得部１４からページ枚数情報を取得する。そして、取得したページ枚数情報から、直近の印刷に係るウォームアップにより画像が形成された連続用紙Ｐのページ枚数が予め定められた第２ページ枚数以下であるか否かを判定する。この予め定められた第２ページ枚数は、直近の印刷に係るウォームアップによりインクジェットヘッドから吐出されるインクの量に基づいて予備吐出が必要であるか否かを判定するための閾値である。予め定められた第２ページ枚数は、例えば、１枚である。
ウォームアップによりインクジェットヘッドから吐出されるインクの量が多いと、その分だけ、インクジェットヘッドのノズルには新たなインクが供給される。この新たなインクは、ノズルに溜まり続けることで上述の通り増粘して画像形成に適さなくなったインクよりも、吐出不良の原因になりにくい。そのため、新たなインクで満たされているインクジェットヘッドにおいては、画像形成に適さないインクが含まれているインクジェットヘッドよりも、予備吐出の必要性が低い。そこで、本実施形態では、ウォームアップによりインクジェットヘッドから吐出されるインクの量を、予備吐出の実行条件としている。
【００４８】
ステップ３０２にて肯定結果が得られた場合、ヘッド制御部１５は、インクジェットヘッドに対して、キャップを外させてから予備吐出を実行させる（Ｓ３０５）。
なお、ステップ３０２以降の処理は、個々のインクジェットヘッドごとに行われる。
【００４９】
一方、ステップ３０２にて否定結果が得られた場合、ヘッド制御部１５は、直近の印刷によりインクジェットヘッドから吐出されたインクの量が予め定められた量未満であるか否かを判定する（Ｓ３０３）。具体的には、ヘッド制御部１５は、算出部１３から直近の印刷に係るインク量情報を取得する。そして、取得したインク量情報から、直近の印刷により判定の対象となるインクジェットヘッドから吐出されたインクの量が予め定められた量未満であるか否かを判定する。この予め定められた量は、直近の印刷によりインクジェットヘッドから吐出されたインクの量に基づいて予備吐出が必要であるか否かを判定するための閾値である。予め定められた量は、例えば、１０ｍｌである。
印刷によりインクジェットヘッドから吐出されるインクの量が多いと、その分だけインクジェットヘッドのノズルに新たなインクが供給されるため、インクの吐出不良が起こりにくくなる。そこで、本実施形態では、印刷によりインクジェットヘッドから吐出されるインクの量を、予備吐出の実行条件としている。
ステップ３０３にて肯定結果が得られた場合、ヘッド制御部１５は、インクジェットヘッドに対して、キャップを外させてから予備吐出を実行させる（Ｓ３０５）。
【００５０】
一方、ステップ３０３にて否定結果が得られた場合、ヘッド制御部１５は、インクジェットヘッドが保管位置に位置していない時間が予め定められた時間以上であるか否かを判定する（Ｓ３０４）。具体的には、ヘッド制御部１５は、ヘッド情報取得部１２から最新の時間情報を取得する。そして、取得した時間情報から、インクジェットヘッドが保管位置に位置していない時間が予め定められた時間以上であるか否かを判定する。予め定められた時間は、インクジェットヘッドがキャップを被っていない時間に基づいて予備吐出が必要であるか否かを判定するための閾値である。予め定められた時間は、例えば、１時間である。
保管位置に位置しキャップが被されているインクジェットヘッド内のインクは、キャップが被されていないインクジェットヘッド内のインクよりも乾きにくい分だけ、吐出不良の原因になりにくい。そこで、本実施形態では、インクジェットヘッドがキャップを被っていない時間を、予備吐出の実行条件としている。
【００５１】
ステップ３０４にて肯定結果が得られた場合、ヘッド制御部１５は、インクジェットヘッドに対して、キャップを外させてから予備吐出を実行させる（Ｓ３０５）。
一方、ステップ３０３にて否定結果が得られた場合、ヘッド制御部１５は、判定の対象となるインクジェットヘッドに予備吐出を実行させない。
【００５２】
このように、変形例２では、ヘッド制御部１５は、個々のインクジェットヘッドの状態に基づいて予備吐出の実行を制御する。例えば、ヘッド制御部１５は、直近の印刷に関する画像の形成により一のインクジェットヘッドと他の一のインクジェットヘッドとの個々のインクジェットヘッドから吐出されたインクの量に基づいて、予備吐出の実行を制御する。ここで、一のインクジェットヘッドは、第１吐出部として捉えられる。また、他の一のインクジェットヘッドは、第２吐出部として捉えられる。
【００５３】
なお、図６に示す例では、インクジェットヘッドの状態に関して予め定められた条件を満たさないインクジェットヘッドには予備吐出を実行させないようにしているが、これに限定されない。ヘッド制御部１５は、予め定められた条件を満たさないインクジェットヘッドには、予め定められた条件を満たすインクジェットヘッドよりも少ない回数の予備吐出を実行させてもよい。
【００５４】
例えば、ヘッド制御部１５は、一のインクジェットヘッドが保管位置に位置していない時間が予め定められた時間に到達し、他の一のインクジェットヘッドが保管位置に位置していない時間が予め定められた時間に到達していない場合、一のインクジェットヘッドに予備吐出を予め定められた回数実行させ、他の一のインクジェットヘッドに予備吐出を予め定められた回数よりも少ない回数実行させ又は実行させないようにしてもよい。
【００５５】
また、例えば、直近の印刷において、一のインクジェットヘッドから吐出されたインクの量が予め定められた量に到達せず、他の一のインクジェットヘッドから吐出されたインクの量が予め定められた量に到達した場合、一のインクジェットヘッドに予備吐出を予め定められた回数実行させ、他の一のインクジェットヘッドに予備吐出を予め定められた回数よりも少ない回数実行させ又は実行させないようにしてもよい。
【００５６】
なお、上記で説明した、「予め定められた第２ページ枚数」、「予め定められた量」、および「予め定められた時間」は、それぞれ、個々のインクジェットヘッドごとに異なる値が定められてもよい。
また、「予め定められた第２ページ枚数」は、画素の形成ごとにインクジェットヘッドから吐出される量に応じて、設定される値が異なってもよい。
また、「予め定められた量」は、直近の印刷によりインクジェットヘッドから吐出されたインクの量と、この直近の印刷に係るウォームアップによりインクジェットヘッドから吐出されたインクの量との積算値に対して設定されてもよい。すなわち、「直近の印刷に関する画像の形成」には、直近の印刷による画像の形成のみならず、直近の印刷に係るウォームアップによる画像の形成も含まれる。
【００５７】
なお、ヘッド制御部１５は、直近の印刷が完了してからインクジェットヘッドが保管位置に位置していない時間が予め定められた時間以上である場合、このインクジェットヘッドに予備吐出を実行させてもよい。すなわち、「インクジェットヘッドが保管位置に位置していない時間」には、直近の印刷が完了してからインクジェットヘッドが保管位置に位置していない時間も含まれる。
【００５８】
＜予備吐出制御処理の変形例３＞
次に予備吐出制御処理の変形例３について説明する。
設定情報取得部１４は、端末装置３０から、個々のインクジェットヘッドごとの予備吐出の実行を示す実行情報を取得する。具体的には、設定情報取得部１４は、端末装置３０がユーザに操作され予備吐出を実行させるインクジェットヘッドが設定されることにより、この端末装置３０から実行情報を取得する。この実行情報には、予備吐出の実行回数を示す情報が含まれる。この実行回数は、端末装置３０がユーザに操作されることにより、個々のインクジェットヘッドごとに設定される。設定情報取得部１４は、取得した実行情報をヘッド制御部１５へ送信する。
【００５９】
図７は、変形例３における予備吐出制御処理の流れを示したフローチャートである。
まず、ヘッド制御部１５は、印刷の指示が行われたか否かを判定する（Ｓ４０１）。否定結果が継続している間、ヘッド制御部１５は、ステップ４０１の判定動作を繰り返す。
【００６０】
ステップ４０１にて肯定結果が得られた場合、ヘッド制御部１５は、インクジェットヘッドに予備吐出を実行させることが設定されているか否かを判定する（Ｓ４０２）。具体的には、ヘッド制御部１５は、設定情報取得部１４から実行情報を取得する。そして、取得した実行情報から、画像形成装置２０に設けられている個々のインクジェットヘッドごとに、予備吐出を実行させることが設定されているか否かを判定する。
【００６１】
予備吐出を実行させることが設定されているインクジェットヘッドが少なくとも一つ存在する場合（ステップ４０２にてＹＥＳ）、ヘッド制御部１５は、インクジェットヘッドに対して、キャップを外させてから、予備吐出を実行させる（Ｓ４０３）。具体的には、ヘッド制御部１５は、画像形成装置２０に設けられている全てのインクジェットヘッドのうちの、予備吐出を実行させることが設定されているインクジェットヘッドの各々に、この各々について設定されている実行回数の予備吐出を実行させる。
一方、何れのインクジェットヘッドにも予備吐出を実行させることが設定されていない場合（ステップ４０２にてＮＯ）、ヘッド制御部１５は、何れのインクジェットヘッドにも予備吐出を実行させない。
このように、変形例３では、ヘッド制御部１５は、個々のインクジェットヘッドごとに予備吐出の実行回数を制御する。
【００６２】
なお、変形例３では、設定情報取得部１４は、印刷の指示とは別に実行情報を取得しているが、これに限定されない。
例えば、指示情報に実行情報が含まれていてもよい。
【００６３】
以上、本発明の実施形態について説明したが、本発明の技術的範囲は上記の実施形態に記載の範囲には限定されない。上記の実施形態に、種々の変更又は改良を加えたものも、本発明の技術的範囲に含まれることは、特許請求の範囲の記載から明らかである。
【００６４】
本実施形態では、画像形成装置２０に設けられている個々のインクジェットヘッドごとに予備吐出の実行を制御しているが、これに限定されない。例えば、少なくとも、第１画像形成部２０１に設けられている第１インクジェットヘッド２０３のうちの二つの第１インクジェットヘッド２０３ごとに予備吐出の実行を制御するものであってもよい。
【００６５】
また、例えば、図４に示した予備吐出制御処理と図５に示した予備吐出制御処理とを組み合わせてもよい。具体的には、ヘッド制御部１５は、図５に示すステップ２０２の処理により予備吐出を実行させるインクジェットヘッドを抽出した後、抽出したインクジェットヘッドのうちの、保管位置に位置しているインクジェットヘッドに予備吐出を実行させるようにしてもよい。そして、抽出したインクジェットヘッドのうちの、保管位置に位置していないインクジェットヘッドには予備吐出を実行させないようにしてもよい。すなわち、ヘッド制御部１５は、印刷の指示が行われた場合に、この印刷に用いられるインクジェットヘッドであっても、このインクジェットヘッドが保管位置に位置していない場合には、このインクジェットヘッドに予備吐出を実行させないようにしてもよい。
【００６６】
また、例えば、図５に示した予備吐出制御処理と図６に示した予備吐出制御処理とを組み合わせてもよい。具体的には、ヘッド制御部１５は、図６のステップ３０２〜ステップ３０４の処理により予備吐出を実行させるインクジェットヘッドを抽出した後、抽出したインクジェットヘッドのうちの、保管位置に位置しているインクジェットヘッドに予備吐出を実行させるようにしてもよい。そして、抽出したインクジェットヘッドのうちの、保管位置に位置していないインクジェットヘッドには予備吐出を実行させないようにしてもよい。すなわち、ヘッド制御部１５は、インクジェットヘッドの状態に基づいて予備吐出の対象となったインクジェットヘッドであっても、このインクジェットヘッドが保管位置に位置していない場合には、このインクジェットヘッドに予備吐出を実行させないようにしてもよい。
【００６７】
また、画像形成装置２０には、上述したインクジェットヘッドとは異なるインクジェットヘッドが設けられていてもよい。例えば、金属色のインクを吐出するインクジェットヘッドが画像形成装置２０に設けられていてもよい。そして、この金属色のインクを吐出するインクジェットヘッドを含めた個々のインクジェットヘッドごとに、予備吐出の実行を制御してもよい。
【００６８】
また、本実施形態では、連続用紙Ｐに対して画像を形成するインクジェットプリンタが用いられる例を説明したが、これに限定されない。
例えば、カット紙に対して画像を形成するインクジェットプリンタが用いられてもよい。
【符号の説明】
【００６９】
１…画像形成システム、１０…サーバ装置、１１…指示受付部、１２…ヘッド情報取得部、１３…算出部、１４…設定情報取得部、１５…ヘッド制御部、２０…画像形成装置、２０１…第１画像形成部、２０２…第１駆動部、２０３…第１インクジェットヘッド、２０４…第２画像形成部、２０５…第２駆動部、２０６…第２インクジェットヘッド
【図１】
2020131668.tif 000003
【図２】
2020131668.tif 000004
【図３】
2020131668.tif 000005
【図４】
2020131668.tif 000006
【図５】
2020131668.tif 000007
【図６】
2020131668.tif 000008
【図７】
2020131668.tif 000009